(57)【要約】【課題】  周辺基板での電源の短絡による悪影響が遊技機全体に波及することを防止するとともに、故障した周辺基板を容易に特定できるようにする。【解決手段】  複数の周辺基板と、前記複数の周辺基板へ電力をそれぞれ供給する複数の電力供給線と、前記複数の電力供給線又は前記複数の周辺基板における電源の短絡をそれぞれ監視する複数の電源監視回路と、前記複数の電力供給線又は前記複数の周辺基板への電力の供給をそれぞれ遮断する複数の遮断回路と、電源の短絡個所を判定する判定部と、前記判定部の出力に基づき電源の短絡個所を報知する処理部とを備える。前記複数の遮断回路は、前記複数の電源監視回路のいずれかで電源の短絡を検知したときに、対応する前記電力供給線又は周辺基板への電力の供給を遮断する。【選択図】        図４
2008132071.tif 000002
【特許請求の範囲】
【請求項１】
複数の周辺基板と、前記複数の周辺基板へ電力をそれぞれ供給する複数の電力供給線と、前記複数の電力供給線又は前記複数の周辺基板における電源の短絡をそれぞれ監視する複数の電源監視回路と、前記複数の電力供給線又は前記複数の周辺基板への電力の供給をそれぞれ遮断する複数の遮断回路と、前記複数の電源監視回路の出力に基づき電源の短絡個所を判定する判定部と、前記判定部の出力に基づき電源の短絡個所を報知する処理部とを備え、前記複数の遮断回路は、前記複数の電源監視回路のいずれかで電源の短絡を検知したときに、対応する前記電力供給線又は周辺基板への電力の供給を遮断する、ことを特徴とする遊技機。
【請求項２】
前記複数の周辺基板には、それぞれ固有のアドレスが予め割り当てられ、
前記判定部は、前記複数の周辺基板に対して前記アドレスを用いて順次信号を送信し、その応答を監視し、応答がないときに、その前記周辺基板又は前記電力供給線で電源が短絡していると判定することを特徴とする請求項１記載の遊技機。
【請求項３】
前記電源監視回路による電源の短絡の検知結果を保持する保持部を備え、
前記保持部は、電源の短絡している前記周辺基板又は前記電力供給線が交換された後にリセットされることで前記遮断回路に電力の供給を再開させることを特徴とする請求項１記載の遊技機。
【請求項４】
複数の周辺基板と、前記複数の周辺基板へ電力をそれぞれ供給する複数の電力供給線とを備える遊技機において電源の短絡を監視する方法であって、
前記複数の電力供給線の電圧又は電流を監視するステップと、
前記複数の電力供給線いずれかの電圧が予め定められた値よりも低くなったとき、又は、前記複数の電力供給線いずれかの電流が予め定められた値よりも大きくなったとき、前記電力供給線又はこれから電力の供給を受ける前記周辺基板で電源が短絡したと判定するステップと、
電源の短絡した前記電力供給線又は前記周辺基板への電力の供給を停止するステップと、
電源の短絡した前記電力供給線又は前記周辺基板への電力の供給停止を報知するステップと、
リセット操作を受けたときに、前記電力供給線又は前記周辺基板への電力の供給を再開するステップと、を備える遊技機の電源供給監視方法。
【請求項５】
複数の周辺基板と、前記複数の周辺基板へ電力をそれぞれ供給する複数の電力供給線とを備える遊技機において電源の短絡を監視する方法をコンピュータに実行させるためのプログラムであって、
前記複数の電力供給線の電圧又は電流を監視するステップと、
前記複数の電力供給線いずれかの電圧が予め定められた値よりも低くなったとき、又は、前記複数の電力供給線いずれかの電流が予め定められた値よりも大きくなったとき、前記電力供給線又はこれから電力の供給を受ける前記周辺基板で電源が短絡したと判定するステップと、
電源の短絡した前記電力供給線又は前記周辺基板への電力の供給を停止するステップと、
電源の短絡した前記電力供給線又は前記周辺基板への電力の供給停止を報知するステップと、
リセット操作を受けたときに、前記電力供給線又は前記周辺基板への電力の供給を再開するステップと、を実行させるプログラム。
【発明の詳細な説明】
【技術分野】
【０００１】
この発明は、遊技機及び遊技機の電源供給監視方法並びにプログラムに関し、特に、遊技機に備えられている周辺基板の電源の短絡の検知及び電源の遮断に関する。
【背景技術】
【０００２】
スロットマシン等の遊技機は、遊技の提供や遊技媒体の投入や払い出しに関する処理を電気的制御により行っている。遊技機は、ＣＰＵ（コンピュータ）を搭載した処理基板（メイン基板、サブ基板）とともに、処理基板に接続されて遊技機の照明の点滅を行ったり、音響を発生するための周辺基板を備える。処理基板と周辺基板には、その動作用電源として直流電流が供給されている。
【０００３】
処理基板又は周辺基板が故障することがある。処理基板が故障した場合には遊技の提供や遊技媒体の投入や払い出しに関する処理が出来なくなるので緊急に対処する必要があるが、周辺基板は遊技の提供や遊技媒体に関する処理を直接扱っていないので、遊技の続行は可能である。周辺基板が故障したままの状態で（例えば電飾用基板の一部が壊れ、遊技機の照明が消灯しているといった状態で）営業を続け、営業終了後に故障した周辺基板を交換するといった柔軟な対応が可能である。
【０００４】
処理基板又は周辺基板の故障の態様のひとつとして、電源が短絡することがある。例えば、電源を供給するワイヤハーネスがヒンジに引っ掛かり電線の被覆が破れてショートしたり、基板上の電源線に設けられたコンデンサが故障（ショート）することがある。電源の短絡が周辺基板に生じた場合でも、遊技機の電源のブレーカが落ちるなどによりその影響は全ての基板に及び、遊技機の動作が停止するので緊急に対処する必要がある。この点が周辺基板の電源の短絡以外の故障とは異なる。周辺基板での電源の短絡という故障が結果として重大な影響を与えることになる。
【０００５】
電源の短絡という故障に対処する技術を開示するものとして、以下の特許文献に記載されたものがある。
【特許文献１】特開平５−３２８６０５号公報「オンボード電源の並列運転回路」
【特許文献２】特開平６−２０２７１４号公報「パラレル入出力装置」
【特許文献３】特開２００１−４６６００号公報「遊技機」
【特許文献４】特開２００４−１０９０５６号公報「電源供給監視装置および電源供給監視方法」
【発明の開示】
【発明が解決しようとする課題】
【０００６】
上述のように、遊技機の周辺基板への電源供給ラインが何らかの原因でショートすると遊技機全体が正常に動作しなくなるという問題があった。また、復旧させるための故障個所を特定する作業が必要で、故障した周辺基板の交換作業などを短時間で行うことができなかった。
【０００７】
この発明は、上記課題を解決するためになされたもので、周辺基板での電源の短絡による悪影響が遊技機全体に波及することを防止するとともに、故障した周辺基板を容易に特定できる遊技機及び遊技機の電源供給監視方法並びにプログラムを提供することを目的とする。
【課題を解決するための手段】
【０００８】
この発明に係る遊技機は、複数の周辺基板と、前記複数の周辺基板へ電力をそれぞれ供給する複数の電力供給線と、前記複数の電力供給線又は前記複数の周辺基板における電源の短絡をそれぞれ監視する複数の電源監視回路と、前記複数の電力供給線又は前記複数の周辺基板への電力の供給をそれぞれ遮断する複数の遮断回路と、前記複数の電源監視回路の出力に基づき電源の短絡個所を判定する判定部と、前記判定部の出力に基づき電源の短絡個所を報知する処理部とを備え、前記複数の遮断回路は、前記複数の電源監視回路のいずれかで電源の短絡を検知したときに、対応する前記電力供給線又は周辺基板への電力の供給を遮断する、ことを特徴とするものである。
【０００９】
前記複数の周辺基板には、それぞれ固有のアドレスが予め割り当てられている場合には、前記判定部は、前記複数の周辺基板に対して前記アドレスを用いて順次信号を送信し、その応答を監視し、応答がないときに、その前記周辺基板又は前記電力供給線で電源が短絡していると判定するようにしてもよい。
【００１０】
前記電源監視回路による電源の短絡の検知結果を保持する保持部を備え、
前記保持部は、電源の短絡している前記周辺基板又は前記電力供給線が交換された後にリセットされることで前記遮断回路に電力の供給を再開させるようにしてもよい。
【００１１】
この発明は、複数の周辺基板と、前記複数の周辺基板へ電力をそれぞれ供給する複数の電力供給線とを備える遊技機において電源の短絡を監視する方法であって、
前記複数の電力供給線の電圧又は電流を監視するステップと、
前記複数の電力供給線いずれかの電圧が予め定められた値よりも低くなったとき、又は、前記複数の電力供給線いずれかの電流が予め定められた値よりも大きくなったとき、前記電力供給線又はこれから電力の供給を受ける前記周辺基板で電源が短絡したと判定するステップと、
電源の短絡した前記電力供給線又は前記周辺基板への電力の供給を停止するステップと、
電源の短絡した前記電力供給線又は前記周辺基板への電力の供給停止を報知するステップと、
リセット操作を受けたときに、前記電力供給線又は前記周辺基板への電力の供給を再開するステップと、を備えるものである。
【００１２】
この発明は、上記方法をコンピュータに実行させるためのプログラムである。
この発明に係るプログラムは、例えば、記録媒体に記録される。
媒体には、例えば、ＥＰＲＯＭデバイス、フラッシュメモリデバイス、フレキシブルディスク、ハードディスク、磁気テープ、光磁気ディスク、ＣＤ（ＣＤ−ＲＯＭ、Ｖｉｄｅｏ−ＣＤを含む）、ＤＶＤ（ＤＶＤ−Ｖｉｄｅｏ、ＤＶＤ−ＲＯＭ、ＤＶＤ−ＲＡＭを含む）、ＲＯＭカートリッジ、バッテリバックアップ付きのＲＡＭメモリカートリッジ、フラッシュメモリカートリッジ、不揮発性ＲＡＭカートリッジ等を含む。
【００１３】
媒体とは、何等かの物理的手段により情報（主にデジタルデータ、プログラム）が記録されているものであって、コンピュータ、専用プロセッサ等の処理装置に所定の機能を行わせることができるものである。
【発明の効果】
【００１４】
この発明によれば、周辺基板における電源の短絡を監視する電源監視回路と、前記周辺基板への電力の供給を遮断する遮断回路とを備えたので、周辺基板での電源の短絡による悪影響が遊技機全体に波及することを防止できる。これにより周辺基板の電源の短絡時にも遊技を継続することが可能になる。しかも、電源の短絡個所を判定する判定部と、電源の短絡個所を報知する処理部とを備えたので、故障した周辺基板を容易に特定でき、故障した周辺基板を素早く交換することができ、管理者の負担を軽減することができる。
【発明を実施するための最良の形態】
【００１５】
図１は前扉を閉めた状態を示すスロットマシンの正面図、図２は前扉を１８０度開いた状態を示すスロットマシンの正面図を示す。
図１及び図２中、１００はスロットマシンを示すもので、このスロットマシン１００は、図１に示すように、スロットマシン本体１２０と、このスロットマシン本体１２０の前面片側にヒンジ等により開閉可能に取り付けられた前扉１３０とを備えている。前記前扉１３０の前面には、図１に示すように、ほぼ中央にゲーム表示部１３１を設け、ゲーム表示部１３１の右下隅部に、遊技者がメダルを投入するためのメダル投入口１３２を設け、メダル投入口１３２の下側には、メダル投入口１３２から投入され、詰まってしまったメダルをスロットマシン１００外に強制的に排出するためのリジェクトボタン１３３が設けられている。
【００１６】
また、前記ゲーム表示部１３１の左下方には、ゲームを開始するためのスタートスイッチ１３４を設けてあり、３つのリールのそれぞれに対応して３つのストップスイッチ１４０を設けてある。前扉の下端部中央には、メダルの払出し口１３５を設けてある。
前記ゲーム表示部１３１の右側には、液晶表示装置ＬＣＤが設けてある。液晶表示装置ＬＣＤは、遊技に係る演出を行うとともに、故障した周辺基板を報知する（後述）ものである。
【００１７】
スロットマシン本体１２０の内部には、図２に示すように、その内底面に固定され、内部に複数のメダルを貯留して、貯留したメダルを前扉１３０の前面に設けた払出し口１３５に１枚ずつ払い出すためのホッパ装置１２１が設置されている。このホッパ装置１２１の上部には、上方に向けて開口し、内部に複数のメダルを貯留するホッパタンク１２２を備えている。スロットマシン本体１２０の内部には、前扉１３０を閉めたときにゲーム表示部１３１が来る位置に三個の回転リールからなるリールユニット２０３が設置されている。ゲーム表示部１３１には開口部が設けられていて、それを通して遊技者が前記リールユニット２０３の各回転リールの図柄を見ることができるようになっている。ホッパ装置１２１の上側のリールユニット２０３との間には電源部２０５が設けられている。
【００１８】
前記前扉１３０の裏面には、図２に示すように、メダル（コイン）セレクタ１が、前扉１３０の前面に設けられたメダル投入口１３２の裏側に取り付けられている。このメダルセレクタ１は、メダル投入口１３２から投入されたメダルの通過を検出しながら、当該メダルをホッパ装置１２１に向かって転動させ、外径が所定寸法と違う異径メダルや、鉄又は鉄合金で作製された不正メダルを選別して排除するとともに、１ゲームあたりに投入可能な所定枚数以上のメダルを選別して排除するための装置である。
【００１９】
また、メダルセレクタ１の下側には、図２に示すように、その下部側を覆って前扉１３０の払出し口１３５に連通する導出路１３６が設けられている。メダルセレクタ１により振り分けられたメダルは、この導出路１３６を介して払出し口１３５から遊技者に返却される。
【００２０】
図３は発明の実施の形態に係るスロットマシン１００の機能ブロック図を示す。
この図において電源系統についての表示は省略されている。スロットマシン１００は、その主要な処理装置としてメイン基板１０とこれからコマンドを受けて動作するサブ基板２０とを備える。なお、少なくともメイン基板１０は、外部から接触不能となるようにケース内部に収容され、これら基板を取り外す際に痕跡が残るように封印処理が施されている。
【００２１】
メイン基板１０は、遊技者の操作を受けて内部抽選を行ったり、リールの回転・停止やメダルの払い出しなどの処理を行うためのものである。メイン基板１０は、予め設定されたプログラムに従って制御動作を行うＣＰＵと、前記プログラムを記憶する記憶手段であるＲＯＭおよび処理結果などを一時的に記憶するＲＡＭを含む。
【００２２】
サブ基板２０は、メイン基板１０からコマンド信号を受けて内部抽選の結果を報知したり各種演出を行うためのものである。サブ基板２０は、前記コマンド信号に応じた予め設定されたプログラムに従って制御動作を行うＣＰＵと、前記プログラムを記憶する記憶手段であるＲＯＭおよび処理結果などを一時的に記憶するＲＡＭを含む。コマンドの流れはメイン基板１０からサブ基板２０への一方のみであり、逆にサブ基板２０からメイン基板１０へコマンド等が出されることはない。
【００２３】
メイン基板１０にはスタートスイッチ１３４，ストップボタン１４０，リールユニット（リール駆動装置を含む）２０３，リール位置検出回路７１、ホッパ駆動部８０、ホッパ８１及びホッパ８１から払い出されたメダルの枚数を数えるためのメダル検出部８２（これらは前述のホッパ装置１２１を構成する）が接続されている。サブ基板２０には液晶表示装置の制御用の液晶制御基板２００、スピーカ基板２０１、電飾用のＬＥＤ基板２０２などの周辺基板（ローカル基板）が接続されている。図３では示していないが、液晶制御基板２００には図１に示された液晶表示装置ＬＣＤが接続されている。
【００２４】
以下の説明において、サブ基板２０に接続されているスピーカ基板２０１やＬＥＤ基板２０２などを周辺基板ＰＢと記すことにする。周辺基板ＰＢには、電飾を行うためのものや音響を発生するものなどがあるが、サブ基板２０から電力を受けて動作するという点で共通する。なお、周辺基板ＰＢはそれぞれ固有のアドレスが割り当てられ、当該アドレスを指定してサブ基板２０から周辺基板ＰＢへ信号を送ることで、周辺基板ＰＢに所定の動作を行わせたり、周辺基板ＰＢから信号を受けることでサブ基板２０でその状態を知ることができるものとする。
【００２５】
上述のように、メイン基板１０及びサブ基板２０は、ＣＰＵを中心に構成され、ＲＯＭ、ＲＡＭ、Ｉ／Ｏ等を備えている。そして、ＣＰＵが遊技者の操作を受けてＲＯＭに記憶されたプログラムを読み込むことで所定の動作を行う。具体的には、スタートスイッチ１３４及びストップボタン１４０の操作に基づきリールユニット２０３に内蔵される３つの回転リールの回転及び停止を制御するとともに、ランプやスピーカ等の表示を制御する。ＣＰＵが動作する際に必要な一時的なデータなどはＲＡＭ（一般にＲＡＭは揮発性メモリであり、その電源断によりデータは原則失われるが、スロットマシンにおいてはその一部又は全部についてバッテリなどのバックアップ電源が用意されていることがあり、この場合は電源断でもデータは失われない）に記憶される。ＣＰＵはＲＯＭに記録されたプログラムに従って所定の動作を行うとともに、処理に必要な一時的なデータをＲＡＭに記録するとともに記録されたデータを必要に応じて読み出して参照する。
メイン基板１０とサブ基板２０は、遊技に関する処理を行う処理部である。
【００２６】
スロットマシンで遊技を楽しもうとする遊技者は、まずメダル貸機（図示しない）等から遊技媒体であるメダルを借り、メダル投入装置のメダル投入口１３２に直接メダルを入れることができる。スタートスイッチ１３４は回転リールの斜め下方に位置するレバーであって、遊技メダルの投入を条件に、リールユニット２０３の駆動を開始させる。リールユニット２０３は、ストップボタン１４０によりその駆動が停止される。リールユニット２０３は、三個の回転リールから構成されている。そして、各回転リールは、合成樹脂からなる回転ドラムと、この回転ドラムの周囲に貼付されるテープ状のリールテープとを備えている。このリールテープの外周面には、複数個（例えば２１個）の図柄が表示されている。
【００２７】
図４に、図３で省略した発明の実施の形態に係るサブ基板２０と周辺基板ＰＢの電源の接続系統図を示す。同図は、５つの周辺基板ＰＢ１乃至ＰＢ５がサブ基板２０に接続されている状態を示すが、これはあくまで一例である。同図の周辺基板ＰＢ１乃至ＰＢ５は電飾用あるいは音響用の基板であるが、発明の実施の形態の動作を説明するうえでその機能を区別する必要がないので単に「周辺基板」と表現している。また、同図は主に電源系統の接続を示し、信号系統の表示は省略している。周辺基板ＰＢ１乃至ＰＢ５は固有のアドレスａ乃至アドレスｅで管理されているものとする。
【００２８】
電源部２０５からの電源電流は図示しないワイヤハーネスを通してサブ基板２０に引き込まれる。図４に示すように、サブ基板２０に引き込まれた電源電流の一部は周辺基板ＰＢへ送り出される。すなわち、電源電流は、電源監視回路ＭＯＮ１と遮断回路ＳＷ１を通じてコネクタＣＯＮ１に導かれ、ワイヤハーネス（電力供給線）ＷＨ１を通じて周辺基板ＰＢ１に引き込まれる。他の周辺基板ＰＢ２乃至ＰＢ５も同様である。
【００２９】
電源監視回路ＭＯＮ１乃至ＭＯＮ５は、複数のワイヤハーネス（電力供給線）ＷＨ１乃至ＷＨ５、又は、複数の周辺基板ＰＢ１乃至ＰＢ５における電源の短絡をそれぞれ監視するものである。例えば、ワイヤハーネス（電力供給線）ＷＨ１が途中で短絡していると、電源監視回路ＭＯＮ１がこれを検出し、周辺基板ＰＢ２の内部で電源が短絡していると電源監視回路ＭＯＮ２がこれを検出する。
【００３０】
遮断回路ＳＷ１乃至ＳＷ５は、周辺基板ＰＢ１乃至ＰＢ５への電力の供給をそれぞれ遮断するものである。例えば、ワイヤハーネス（電力供給線）ＷＨ１が途中で短絡していることを電源監視回路ＭＯＮ１が検出すると遮断回路ＳＷ１が電力の供給を遮断し、周辺基板ＰＢ２の内部で電源が短絡していることを電源監視回路ＭＯＮ２が検出すると遮断回路ＳＷ２が電力の供給を遮断する。
【００３１】
判定部Ｌは、電源の短絡経路を判定するものである。判定のやり方として、（１）アドレスを順次指定して周辺基板ＰＢ１乃至ＰＢ５へ問い合わせを送り、返答のなかったものを電力が遮断されたとするもの、（２）電源監視回路ＭＯＮ１乃至ＭＯＮ５の出力に基づき電力の遮断された周辺基板ＰＢ１乃至ＰＢ５を特定するもの、がある。
【００３２】
ＣＰＵは、判定部Ｌの出力に基づき電源の短絡経路を報知するものである。例えば、電力が遮断された周辺基板の名称を、液晶表示装置ＬＣＤに表示するとともに、当該周辺基板の交換のやり方を表示する。
【００３３】
発明の実施の形態に係る遊技機は、周辺基板それぞれへの電源供給線をハードウエアにより監視し、電源の短絡時に切り離しすることができる仕組みを持っている。電飾用基板などの周辺基板が、遊技機内でそれぞれ固有のアドレスが割り当てられ、これにより管理されているならば、ＣＰＵから各周辺基板への通信を行うことによって、不在基板（返信がない故障基板）を特定することができる。短絡個所の特定はＣＰＵでソフトウエア的に行う以外に、電源監視回路と簡単なロジック回路を追加することによってハードウエアでも行うことが可能である。
【００３４】
発明の実施の形態によれば、故障基板の特定を行った後に音声や画像などを使って管理者へ報知することで、メンテナンス性が向上する。音声や画像のガイダンスに従うだけで、知識や情報の少ない管理者でも間違うことなく、短時間でシステムの復旧を行うことができる。
【００３５】
図５に、電源監視回路と遮断回路の具体例を示す。図５は、図４の５つの周辺基板ＰＢ１乃至ＰＢ５の電源系統のひとつを示す。どの電源系統も同じ構成であるため符号の数字は省略し、例えばワイヤハーネス（電力供給線）ＷＨのように表記する。
【００３６】
図５において、抵抗Ｒ、コンパレータ３１は電源監視回路ＭＯＮを構成し、保持部３２、リレー３３は遮断回路ＳＷを構成する。保持部３２は、電源監視回路ＭＯＮによる電源の短絡の検知結果を保持するとともに、電源の短絡している周辺基板ＰＢ又は電力供給線ＷＨが交換された後にリセットされることで遮断回路ＳＷに電力の供給を再開させるものである。保持部３２により、電源の短絡した周辺基板ＰＢを電源から切り離し、遊技機の他の部分への悪影響（電圧降下など）を防止できるとともに、遊技機の電源をオンのままで故障した周辺基板ＰＢを交換し、交換後にリセットすることで復旧させること（いわゆるホットスワップ）が可能である。
【００３７】
ワイヤハーネス（電力供給線）ＷＨに直列に抵抗Ｒが設けられている。抵抗Ｒの両端の電圧がコンパレータ３１に入力されている。電源の短絡が生じていなければ、ワイヤハーネス（電力供給線）ＷＨを流れる電流は所定の範囲内にあり、したがって、抵抗Ｒの両端の電圧も所定の範囲内にある。しかし、電源の短絡が生じると過大な電流が流れ、これに伴い抵抗Ｒの両端の電圧が著しく高くなる。これをコンパレータ３１で検出し、予め定められた規定電圧を超える電圧を検出したとき、電源の短絡が生じたと判定する。コンパレータ３１の出力は短絡検出信号として、判定部Ｌへ送られるとともに、保持部３２で保持される。保持部３２はメモリで構成することができるが、簡単にはリレーを用いた自己保持回路で実現できる。保持部３２はリレー３３を駆動して、その接点３３−２をオフにすることで、電流を遮断する。リレー３３の接点３３−１は短絡検出信号として使用することができる。
【００３８】
ホール店員により電源短絡した周辺基板ＰＢが交換されたら、保持部３２にリセット信号を入力することで保持部３２は短絡検出信号の保持を中止し、リレー３３を復旧させて電流を再び周辺基板ＰＢへ供給する。
【００３９】
図５の保持部３２は、いわゆるホットスワップを可能にする機能である。これにより、遊技機本体の電源を落とすことなく、音声や映像のガイダンスに従って簡単に基板の交換、確認作業を行える。
【００４０】
なお、誤ってリセット操作を行ったときに電源を復旧しないように、保持部３２に、周辺基板が正しく交換されたかどうかの判定機能を持たせるようにしてもよい。判定機能として例えば次のやり方がある。
（１）保持部３２にワイヤハーネスＷＨの抵抗値を測定する機能を設け、抵抗値が実質的にゼロであれば短絡が解消しないとして、リセット操作を受け付けないようにする。抵抗値が所定値であれば電源の短絡が解消したとして、リセット操作を受け付ける。
（２）周辺基板の脱着を検出するスイッチ（例えば、当該基板に当接するマイクロスイッチ）を設け、当該スイッチで周辺基板の脱着を検出したときにのみ（例えば、マイクロスイッチがオン−＞オフ−＞オンとなったとき（周辺基板装着時はオンとする））、リセット操作を受け付ける。
【００４１】
図６は、電源監視回路と遮断回路の他の具体例を示す。図６では、コンパレータ３１’がワイヤハーネス（電力供給線）ＷＨの電圧を直接検知する。電源の短絡が生じていなければ、ワイヤハーネス（電力供給線）ＷＨの電圧レベルは所定の範囲内にある。しかし、電源の短絡が生じるとワイヤハーネス（電力供給線）ＷＨの電圧レベルは著しく低くなる。これをコンパレータ３１で検出し、予め定められた規定電圧よりも下がったとき、電源の短絡が生じたと判定する。図６の他の動作は図５と同じなので、その説明は省略する。
【００４２】
図７は、電源線の監視処理をプログラムで行うときのフローチャートである。図７は、コンピュータ（例えばサブ基板２０のＣＰＵ）で電源の短絡の有無の判断と、遮断回路ＳＷの制御を行うものである。図７の処理は、図４の電源管理回路ＭＯＮ、判定部Ｌ及び処理部ＣＰＵの機能に相当する。
なお、図７の処理を実行するためのプログラムは、前述したサブ基板２０のＣＰＵが通常行うプログラム（コマンド信号を受けて内部抽選の結果を報知したり各種演出を行うもの）とは機能的に別のものであるが、サブ基板２０のＣＰＵが実行すべきプログラムとして一緒にサブ基板２０のＲＯＭに記憶しておくようにしてもよい。例えば、通常行うプログラムのサブルーチンとして図７のプログラムを組み込んでもよいし、通常行うプログラムの実行中においてタイマーによる割り込みで一定間隔で図７のプログラムを繰り返し実行するようにしてもよい。
図７のプログラムを、サブ基板２０のＣＰＵとは別のコンピュータ（ワンチップマイコンやプログラマブルコントローラなど）で実行するようにしてもよい。この場合、前述したサブ基板２０のＣＰＵが通常行うプログラムと、図７のプログラムは別々のものになり、別々のメモリに記憶される。
【００４３】
電源がオンになったら（Ｓ１でＹＥＳ）、電源電圧又は電流を監視する（Ｓ２）。電圧が過小であれば短絡して電源電圧が降下したことを意味し、電流が過大であれば短絡して過大電流が流れていることを意味する（Ｓ３でＹＥＳ、Ｓ４）。コンピュータは速やかに電力の供給を停止する（Ｓ５）とともに、その旨を報知する（Ｓ６）。この状態をリセット操作を受けるまで続ける（Ｓ７でＮＯ）。リセットされたら電力の供給を再開する（Ｓ８）。
【００４４】
図８は、電源短絡の経路をコンピュータで判定するときのフローチャートである。各周辺基板ＰＢには固有のアドレスが割り当てられているとする（Ｓ１０）。
【００４５】
コンピュータから固有のアドレスを指定して各周辺基板ＰＢへ問い合わせを送信する（Ｓ１１）。返信がなければ当該アドレスの周辺基板は不在基板（電源が遮断された基板）と判定し、その旨を報知する（Ｓ１３）。返信があれば他の周辺基板ＰＢへの問い合わせを行い（Ｓ１４）。
【００４６】
本発明は、以上の実施の形態に限定されることなく、特許請求の範囲に記載された発明の範囲内で、種々の変更が可能であり、それらも本発明の範囲内に包含されるものであることは言うまでもない。
【図面の簡単な説明】
【００４７】
【図１】前扉を閉めた状態を示すスロットマシンの正面図である。
【図２】前扉を１８０度開いた状態を示すスロットマシンの正面図である。
【図３】スロットマシンのブロック図である。
【図４】発明の実施の形態に係る遊技機の周辺基板の電源系統を示す図である。
【図５】発明の実施の形態に係る電源監視回路と遮断回路の具体例を示す図である。
【図６】発明の実施の形態に係る電源監視回路と遮断回路の他の具体例を示す図である。
【図７】発明の実施の形態に係る電源線の監視処理のフローチャートである。
【図８】発明の実施の形態に係る周辺基板の監視処理のフローチャートである。
【符号の説明】
【００４８】
２０  サブ基板（処理部）
３１、３１’  コンパレータ
３２  保持部
３３  リレー
３３−１  リレー接点（短絡検出信号の出力用）
３３−２  リレー接点（電源遮断用）
Ｌ  判定部
ＭＯＮ１乃至ＭＯＮ５  電源監視回路
ＰＢ１乃至ＰＢ５  周辺基板
Ｒ  抵抗
ＳＷ１乃至ＳＷ５  遮断回路
ＷＨ１乃至ＷＨ５  電力供給線
【図１】
2008132071.tif 000003
【図２】
2008132071.tif 000004
【図３】
2008132071.tif 000005
【図４】
2008132071.tif 000006
【図５】
2008132071.tif 000007
【図６】
2008132071.tif 000008
【図７】
2008132071.tif 000009
【図８】
2008132071.tif 000010